(57)【要約】      （修正有）【課題】接着剤などの他の材料を使わなくとも、組み立てて水平面上に置いた時に十分な安定性を持ち、なおかつ遠くからでもメモ内容を確認できる高い視認性を持った立体メモ用のメモシートを提供する。【解決手段】シート内部のメモ記入部１に対し、一部を残して囲むように切り込み２（もしくはそれと同等の役目を果たすことのできる細長いくり抜きやミシン目）が入れてあるシートで、メモ記入部１にメモを書いた後に切り込みの端と端とを結んだ線を折り目３としてメモ記入部１を折り起こせば、周りの部分を土台として水平面上で安定して置くことが可能な立体メモを形成することができる。【選択図】図２
0003144503.tif 000002
【実用新案登録請求の範囲】
【請求項１】
シート内部のある領域を囲むように、一部を切り残して切り込みが入っているシートで、その内部にメモを書いた後、切り込みの端と端を結んだ線を折り目として内側の部分を折り起こせば立体を形成できる、立体メモ用のメモシート。
【請求項２】
上記請求項１において、切り込みの代わりとして、細長いくり抜きが用いてある立体メモ用のメモシート。
【請求項３】
上記請求項１、２において、切り込みやくり抜きの代わりとして、その一部もしくは全てにミシン目を用いてあり、ミシン目に沿って使用者自らが切ることで切り込みと同様の効果を果たす立体メモ用のメモシート。
【請求項４】
上記請求項１、２、３、４において、切り込みと折り目によって囲まれた部分の外側が、組み立てて置く時に土台の役目を果たす、立体メモ用のメモシート。
【請求項５】
上記請求項1、2、3において、一枚のシートの表と裏の両面にメモを記入して使用することができる、立体メモ用のメモシート。
【考案の詳細な説明】
【技術分野】
【０００１】
本考案は、接着剤などの他の材料を使わずに安定性と高い視認性を両立させることができる立体メモ用のメモシートに関するものである。
【背景技術】
【０００２】
従来のメモ用紙は、ただ一枚の紙にメモを書いて机の上などに置くだけの物で遠くからでは確認しにくく、たとえメモを立てて遠くから確認しやすくするにしても、メモホルダーに差し込んだり、マグネットや画鋲等で壁に固定したりする必要があり、手間がかかっていた。
【０００３】
これを解決するための発明として、すでに立体メモがあるが（特許文献１参照）、接着材を必要としているために、高価なものになってしまう。
【０００４】
また、接着剤を使わずにメモ部分を立体的にできる発明として立体カードもあるが（特許文献２参照）、こちらは切り込みがシートの中央方向に向かって入っており、切り込み部分がスペースを多く取るためにメモを記入できる領域が制限されやすく、また、立体を形成して水平面上に置く際にもメモ表示部を水平面に対して完全に立てるものでないため、遠くから見たときの視認性に乏しいといった問題がある。
【特許文献１】実開平06-009971広報
【特許文献２】特開2006-326921広報
【考案の開示】
【考案が解決しようとする課題】
【０００５】
解決しようとする課題は、接着剤などの他の材料を使わなくとも、水平面上に置いた時に十分な安定性と高い視認性を両立できる立体メモ用のメモシートを提供するという点である。
【課題を解決するための手段】
【０００６】
本考案は、紙の内部のある領域を囲むように、一部を切り残しつつ、切り込み、または細長いくり抜き、または使用者自らが切ることで切り込みと同様の役目を果たすミシン目が入れてあるシートで、その内部にメモを書いた後、切り込みやくり抜きの端と端とを結んだ線を折り目として内側の部分を折り起こせば、立体メモが形成できることを主要な特徴とする。
【考案の効果】
【０００７】
本考案の立体メモ用メモシートでは、組み立てて使うときに周りの部分が土台の役目を果たしてくれ、接着剤などの他の材料を使うことなく安定感を持たせることができ、なおかつメモを書いた内側の部分を水平面に対して完全に立たせることができるため、高い視認性がある。
【０００８】
本考案の立体メモ用メモシートは、ただシートに切り込みやくり抜きやミシン目といった加工を施しただけのものなので、大量生産に向いており、安価である。
【０００９】
また、本考案の立体メモ用メモシートは、組み立てて使う時に平らな所であればどこにでも置くことができるため、メモしたものを目の届く場所に置いておけば、視認性が高いためにいつでも内容が目に入ってくる。そのため、メモしたこと自体を忘れるなどということを防ぐことができ、また、暗記すべきことをメモしておけば、生活時に繰り返し確認することで記憶の定着を図ったりすることも可能となる。
【００１０】
さらに、本考案の立体メモ用メモシートは、メモ面として裏表両面を使用することができるので、例えば学習用として、問題を表面に書いておき、裏面にそれに対する答えなどを書いておくことで、必要な時だけ裏面の答えを確認することで学習の効率化を図るなど、応用が利く。
【考案を実施するための最良の形態】
【００１１】
メモ部分をできるだけ広く取りながらも、使用に最低限度必要な安定性や強度を損なわないという目的を実現した。
【実施例１】
【００１２】
図１は本考案の１実施例であるが、これはシート内部のある領域１を囲むように、コの字型に切り込み２が入ったシートである。切り込みによって囲まれている領域１は、メモを書き込むためのスペースとなっている。
【００１３】
図２は実施例１の動作を示したものだが、切り込み２の端と端を結んだ線３を折り目として折り曲げて、領域１の部分を立てる。周りの部分を土台として、平らな場所に置いて使用する。
【実施例２】
【００１４】
シートの形状や切り込みの形状については、実施例１で紹介した形状に限らず、土台の安定性に問題がない限りはどのような形状にしても構わない。例として、図３に実施例２を示しておく。
【実施例３】
【００１５】
図４は本考案の１実施例であるが、実施例１にあるような切り込みの代わりに細長いくり抜きを使ったものを挙げておく。
【実施例４】
【００１６】
図５は本考案の１実施例であるが、実施例１における切り込みの一部をミシン目に置き換えたものを挙げておく。ミシン目を使う場合は、組み立てる前にあらかじめミシン目に沿って切っておいた後、実施例１と同様に切れ目の端と端を折り立てて使う。一部をミシン目にすることで、使用者自らが切らなければならないという手間が増えるものの、シート状態での強度は増すため、製造や発送や陳列といった使用時以外における破損の防止に役立つ。
【産業上の利用可能性】
【００１７】
本発明は、メモ帳、印刷業者が発行する印刷物、POP、価格カード、カレンダー、メッセージカード、学習用補助文具等に利用できる。
【図面の簡単な説明】
【００１８】
【図１】立体メモの実施方法を示した説明図である。（実施例１）
【図２】実施例１の動作を示した図である。
【図３】立体メモの実施方法を示した説明図である。（実施例２）
【図４】立体メモの実施方法を示した説明図である。（実施例３）
【図５】立体メモの実施方法を示した説明図である。（実施例４）
【符号の説明】
【００１９】
１    メモ記入部
２    切り込み部
３    切り残し部（折り目を形成する部分）
４    くり抜き部
５    ミシン目部
【図１】
0003144503.tif 000003
【図２】
0003144503.tif 000004
【図３】
0003144503.tif 000005
【図４】
0003144503.tif 000006
【図５】
0003144503.tif 000007
【手続補正書】
【提出日】平成20年5月29日(2008.5.29)
【手続補正１】
【補正対象書類名】実用新案登録請求の範囲
【補正対象項目名】請求項４
【補正方法】変更
【補正の内容】
【請求項４】
上記請求項１、２、３において、切り込みと折り目によって囲まれた部分の外側が、組み立てて置く時に土台の役目を果たす、立体メモ用のメモシート。